【手続補正書】
【提出日】平成19年4月27日(2007.4.27)
【手続補正１】
【補正対象書類名】明細書
【補正対象項目名】特許請求の範囲
【補正方法】変更
【補正の内容】
【特許請求の範囲】
【請求項１】
ミシン機枠に上下動可能に支承され、下端に装着された布押さえが少なくとも針板に当接する下方の第１設定位置と前記布押さえが針板から離間した上方の第２設定位置との間で上下動する押え棒と、
前記布押えを下方の針板に当接するために押圧力を発生するための手段と、
前記押圧力を発生するための手段の押圧力を前記押え棒に伝達するための手段と、
該押え棒に伝達するための手段の伝達状態を解除するための手段と、
前記押え棒に伝達するための手段に設けられ前記伝達状態を解除するための手段により動作し、前記押え棒を第１設定位置から第２設定位置に引き上げるための手段と、
前記伝達状態を解除するための手段を動作させて前記第１設定位置と第２設定位置との設定位置を切り換えるための手段と
を備えたことを特徴とする押え位置変更装置を備えたミシン。
【請求項２】
前記押え棒に伝達するための手段は、前記押え棒に上下動可能に支持された押圧力を受けるための手段と、
該押圧力を受けるための手段の下方で前記押え棒に固着された押え棒を保持するための手段と、
一端で前記押圧力を受けるための手段の一端にリンク結合された第１のリンクと、
該第１のリンクの他端と前記押え棒を保持するための手段の一端とにリンク結合された第２のリンクと、
前記押圧力を受けるための手段の一端と前記押え棒を保持するための手段の一端との間に設けられ、常には前記押え棒を保持するための手段を前記押圧力を受けるための手段に向かって付勢する引き上げるための手段と
を備えたことを特徴とする、請求項１に記載の押え位置変更装置を備えたミシン。
【請求項３】
前記伝達状態を解除するための手段は、
前記第１のリンクと第２のリンクの結合状態が前記引き上げるための手段の付勢に抗して延伸された押圧状態と、該押圧状態から死点を超えて屈曲された解除状態とに動作させること
を特徴とする、請求項１又は２に記載の押え位置変更装置を備えたミシン。
【請求項４】
ミシン機枠に上下動可能に支承され、下端に装着された布押さえが少なくとも針板に当接する下方の第１設定位置と前記布押さえが針板から離間した上方の第２設定位置ろの間で上下動する押え棒と、
該押え棒を固着する下部ホルダと、
前記押え棒を遊挿すると共にバネ手段により下方に押圧付勢される上部ホルダと、
該上部ホルダと下部ホルダとを連結する伝達手段を含み
且つ前記押え棒が下方位置となる第１設定位置と，該押え棒が上方位置となる第２設定位置との２位置とを切り換えて設定する位置決め手段とを備え、
該位置決め手段の切換え操作による前記第１設定位置において、前記上部ホルダと下部ホルダと前記伝達手段とを押圧力の連結状態として前記バネ手段の付勢を伝達手段を介して前記押え棒に伝達する状態に設定し、前記位置決め手段の切換え操作による前記第２設定位置において、前記伝達手段を動作させて該伝達手段による押圧力の連結状態を解除するようにしたこと
を特徴とする押え位置変更装置を備えたミシン。
【請求項５】
ミシン機枠に上下動可能に支承され、下端に装着された布押さえが少なくとも針板に当接する下方の第１設定位置と前記布押さえが針板から離間した上方の第２設定位置との間で上下動する押え棒と、
該押え棒に上下動可能に嵌装して支持された押圧力を受けるための手段とミシン機枠の一部との間に配置された押圧手段により、常に前記押圧力を受けるための手段を下方に押圧して、押圧力を発生するための手段と、
前記押圧力を受けるための手段の下方で前記押え棒に固着された押え棒を保持するための手段と、
一端で前記押圧力を受けるための手段の一端にリンク結合された第１のリンクと、
該第１のリンクの他端と前記押え棒を保持するための手段の一端とにリンク結合された第２のリンクと、
前記押圧力を受けるための手段の一端と前記押え棒を保持するための手段の一端との間に設けられ、常には前記押え棒を保持するための手段を前記押圧力を受けるための手段に向かって付勢する引き上げるための手段とを備えた、押え棒に伝達するための手段と、
前記第１のリンクと第２のリンクの結合状態が前記引き上げるための手段の付勢に抗して延伸される延伸状態と、該延伸状態から死点を超えて屈曲された屈曲状態とに動作させるために、前記第１のリンクと第２のリンクのリンク結合点を移動するための手段と、
前記リンク結合点を移動するための手段を動作させる手段と、
該リンク結合点を移動するための手段を動作させる手段を動作させて、前記第１のリンクと第２のリンクの結合状態が延伸される延伸状態で前記押圧するための手段の押圧力を前記押さえ棒に付与して、切り換えて該延伸状態から死点を超えて屈曲された屈曲状態で前記押圧するための手段の押圧力を解除するように切り換える、設定位置を切り換えるための手段と
を備えたことを特徴とする押え位置変更装置を備えたミシン。
【手続補正２】
【補正対象書類名】明細書
【補正対象項目名】０００５
【補正方法】変更
【補正の内容】
【０００５】
【課題を解決するための手段】
ミシン機枠に上下動可能に支承され、下端に装着された布押さえが少なくとも針板に当接する下方の第１設定位置と前記布押さえが針板から離間した上方の第２設定位置との間で上下動する押え棒と、前記布押えを下方の針板に当接するために押圧力を発生するための手段と、前記押圧力を発生するための手段の押圧力を前記押え棒に伝達するための手段と、該押え棒に伝達するための手段の伝達状態を解除するための手段と、前記押え棒に伝達するための手段に設けられ前記伝達状態を解除するための手段により動作し、前記押え棒を第１設定位置から第２設定位置に引き上げるための手段と、前記伝達状態を解除するための手段を動作させて前記第１設定位置と第２設定位置との設定位置を切り換えるための手段とを備えたことを特徴とする押え位置変更装置を備えたミシンとすることで、課題を解決した。
【手続補正３】
【補正対象書類名】明細書
【補正対象項目名】０００６
【補正方法】変更
【補正の内容】
【０００６】
また、前記押え棒に伝達するための手段は、前記押え棒に上下動可能に支持された押圧力を受けるための手段と、該押圧力を受けるための手段の下方で前記押え棒に固着された押え棒を保持するための手段と、一端で前記押圧力を受けるための手段の一端にリンク結合された第１のリンクと、該第１のリンクの他端と前記押え棒を保持するための手段の一端とにリンク結合された第２のリンクと、前記押圧力を受けるための手段の一端と前記押え棒を保持するための手段の一端との間に設けられ、常には前記押え棒を保持するための手段を前記押圧力を受けるための手段に向かって付勢する引き上げるための手段とを備えたことを特徴とする押え位置変更装置を備えたミシンとすることで、課題を解決した。
【手続補正４】
【補正対象書類名】明細書
【補正対象項目名】０００７
【補正方法】変更
【補正の内容】
【０００７】
また、前記伝達状態を解除するための手段は、前記第１のリンクと第２のリンクの結合状態が前記引き上げるための手段の付勢に抗して延伸された押圧状態と、該押圧状態から死点を超えて屈曲された解除状態とに動作させることを特徴とする押え位置変更装置を備えたミシンとすることで、課題を解決した。
【手続補正５】
【補正対象書類名】明細書
【補正対象項目名】０００８
【補正方法】変更
【補正の内容】
【０００８】
また、ミシン機枠に上下動可能に支承され、下端に装着された布押さえが少なくとも針板に当接する下方の第１設定位置と前記布押さえが針板から離間した上方の第２設定位置ろの間で上下動する押え棒と、該押え棒を固着する下部ホルダと、前記押え棒を遊挿すると共にバネ手段により下方に押圧付勢される上部ホルダと、該上部ホルダと下部ホルダとを連結する伝達手段を含み且つ前記押え棒が下方位置となる第１設定位置と，該押え棒が上方位置となる第２設定位置との２位置とを切り換えて設定する位置決め手段とを備え、該位置決め手段の切換え操作による前記第１設定位置において、前記上部ホルダと下部ホルダと前記伝達手段とを押圧力の連結状態として前記バネ手段の付勢を伝達手段を介して前記押え棒に伝達する状態に設定し、前記位置決め手段の切換え操作による前記第２設定位置において、前記伝達手段を動作させて該伝達手段による押圧力の連結状態を解除するようにしたことを特徴とする押え位置変更装置を備えたミシンとすることで、課題を解決した。
【手続補正６】
【補正対象書類名】明細書
【補正対象項目名】０００９
【補正方法】変更
【補正の内容】
【０００９】
また、ミシン機枠に上下動可能に支承され、下端に装着された布押さえが少なくとも針板に当接する下方の第１設定位置と前記布押さえが針板から離間した上方の第２設定位置との間で上下動する押え棒と、該押え棒に上下動可能に嵌装して支持された押圧力を受けるための手段とミシン機枠の一部との間に配置された押圧手段により、常に前記押圧力を受けるための手段を下方に押圧して、押圧力を発生するための手段と、前記押圧力を受けるための手段の下方で前記押え棒に固着された押え棒を保持するための手段と、一端で前記押圧力を受けるための手段の一端にリンク結合された第１のリンクと、該第１のリンクの他端と前記押え棒を保持するための手段の一端とにリンク結合された第２のリンクと、
【手続補正７】
【補正対象書類名】明細書
【補正対象項目名】００１０
【補正方法】変更
【補正の内容】
【００１０】
前記押圧力を受けるための手段の一端と前記押え棒を保持するための手段の一端との間に設けられ、常には前記押え棒を保持するための手段を前記押圧力を受けるための手段に向かって付勢する引き上げるための手段とを備えた、押え棒に伝達するための手段と、前記第１のリンクと第２のリンクの結合状態が前記引き上げるための手段の付勢に抗して延伸される延伸状態と、該延伸状態から死点を超えて屈曲された屈曲状態とに動作させるために、前記第１のリンクと第２のリンクのリンク結合点を移動するための手段と、前記リンク結合点を移動するための手段を動作させる手段と、該リンク結合点を移動するための手段を動作させる手段を動作させて、前記第１のリンクと第２のリンクの結合状態が延伸される延伸状態で前記押圧するための手段の押圧力を前記押さえ棒に付与して、切り換えて該延伸状態から死点を超えて屈曲された屈曲状態で前記押圧するための手段の押圧力を解除するように切り換える、設定位置を切り換えるための手段とを備えたことを特徴とする押え位置変更装置を備えたミシンとすることで、課題を解決した。
【手続補正８】
【補正対象書類名】明細書
【補正対象項目名】００６６
【補正方法】変更
【補正の内容】
【００６６】
【発明の効果】
ミシン機枠に上下可能に支承される押え棒１１と、該押え棒１１の下端と針板１５との間が下方位置となる第１設定位置と，前記押え棒１１が上方位置となる第２設定位置との２位置を切り換えて設定するための伝達手段を含む位置決め手段と、前記第１設定位置において前記押え棒１１を前記伝達手段を介して下方に押圧付勢するバネ手段とを備え、前記位置決め手段は、前記第１設定位置と第２設定位置との換え操作における切換点付近を除く操作範囲において前記バネ手段の付勢に拘りなく、切り換え操作ができるようにした押え位置変更装置を備えたミシンとしたことにより、前記押え１２を装着する押え棒１１を下方位置（第１設定位置）と上方位置（第２設定位置）のそれぞれの位置を僅かの動作で且つ比較的小さな力で簡単に操作することができる。
【手続補正９】
【補正対象書類名】明細書
【補正対象項目名】００６８
【補正方法】変更
【補正の内容】
【００６８】
次に、ミシン機枠に上下可能に支承される押え棒１１と、該押え棒１１を固着する下部ホルダ２と、前記押え棒１１を遊挿すると共にバネ手段により下方に押圧付勢される上部ホルダ１と、該上部ホルダ１と下部ホルダ２とを連結する伝達手段を含み，且つ前記押え棒１１が下方位置となる第１設定位置と，該押え棒１１が上方位置となる第２設定位置との２位置とを切り換えて設定する位置決め手段とを備え、該位置決め手段の切換え操作による前記第１設定位置において、前記上部ホルダ１と下部ホルダ２と前記伝達手段とを押圧力の連結状態として前記バネ手段の付勢を伝達手段を介して前記押え棒１１に伝達する状態に設定し、前記位置決め手段の切換え操作による前記第２設定位置において、前記伝達手段を動作させて該伝達手段による押圧力の連結状態を解除するようにした押え位置変更装置を備えたミシンとしたことにより、押え１２を装着する押え棒１１の下端を針板１５に近接，離間のそれぞれの位置を僅かの動作で且つ比較的小さな力で操作することができ、押え１２の交換作業等を行い易くしたものである。
【手続補正１０】
【補正対象書類名】明細書
【補正対象項目名】００７２
【補正方法】変更
【補正の内容】
【００７２】
次に、前記上部ホルダ１と、前記押え棒１１を固着する下部ホルダ２とを離間、近接させる前記伝達手段は、リンク機構部Ａとし、前記伝達手段を含む位置決め手段はリンク駆動部Ｂとしてなる押え位置変更装置を備えたミシンとしたことにより、上部ホルダ１と下部ホルダ２との近接，離間を行う動作をスムーズ且つ迅速に行うことができ、且つ動作を確実性のあるものにすることができる。